(57)【要約】      （修正有）【課題】非粘着テープあるいは剥離紙付き粘着テープを細く巻直し、狭間隔部のテープの巻付け作業の効率化を図るドライバービット用テープ巻取り具を提供する。【解決手段】ドライバービット用テープ巻取り具８は電動ドライバー６等に装着されるドライバービット７に嵌脱可能に外嵌し且つドライバービット７と共に回転するよう形成することにより、テープの先端をドライバービット用テープ巻取り具８にセットするだけで、必要長のテープを電動で短時間に細く巻直す事ができ、配管工事のテープの巻付け作業の効率化を図ることを可能とする。【選択図】図４
0003231122.tif 000002
【実用新案登録請求の範囲】
【請求項１】
電動ドライバー等に装着されるドライバービットに嵌脱可能に外嵌し、且つドライバービットと共に回転するよう形成され、非粘着テープ及び剥離紙付き粘着テープをその回転と共に巻取ることができる、ドライバービット用テープ巻取り具。
【考案の詳細な説明】
【技術分野】
【０００１】本考案は、非粘着テープ及び剥離紙付き粘着テープを細い芯に巻直す、ドライバービット用テープ巻取り具に関するものである。
【背景技術】
【０００２】各種設備機器には、配管工事を伴う場合がある。その際施工される配管を付設配管と呼ぶこととする。付設配管には、周囲と温度差を生ずる場合もあり、付設配管の結露を防ぐ為、配管に断熱処理を施す。その際、非粘着テープ及び剥離紙付き粘着テープ（以後、総称して単にテープと表現）を巻付ける作業が発生する。  付設配管と周辺物との間隔が狭い、狭間隔部が生じることがあり図１に示すように、通常のテープの巻きの太さでは、テープを巻付ける作業が困難となる状況に度々遭遇する。通常のテープの芯の直径は、３５ｍｍから８０ｍｍ程度もあり、通常のテープの巻きの太さのままでは困難か，あるいわ不可能となる場合がある。【０００３】その際、現場ではテープの巻きから必要長を伸ばし、一旦切断した上、両手で細く巻直すか、切断した長いテープのまま徐々に巻付けながら、狭間隔部でのテープの巻付け作業を実施していた。【０００４】配管工事の発生する機器周辺では、周辺物との間隔が狭く頻繁に狭間隔部でのテープの巻付け作業が発生し、作業効率を阻害している現状がある。
【考案の概要】
【考案が解決しようとする課題】
【０００５】解決しようとする問題点は、一般のテープの巻の芯となる部分が太く、狭間隔部でのテープの巻付け作業を困難としている点である。
【課題を解決するための手段】
【０００６】本考案は、テープを細い芯に短時間で巻直すことを可能とするため、近年作業員の身近となった電動ドライバーあるいは電動ドリルのビットの回転を利用している。【０００７】本考案のドライバービット用テープ巻取り具は、身近で使用している，電動ドライバーあるいは電動ドリルのビットに図３に示す様に外嵌し、図４の様に巻取り具にテープの先端を軽く巻付け、電動でビットと共に回転させることにより必要な長さのテープを短時間で細く巻直すことができる。
【考案の効果】
【０００８】本考案のドライバービット用テープ巻取り具は、電動ドライバーや電動ドリル  のビットに容易に嵌脱することができ、必要な状況に応じて、必要な長さだけ、短時間で、容易に巻取ることができる。従ってその場で付設配管にテープを巻付ける作業に使用し、作業効率を上げることができる。当然、事前にテープを巻取ったドライバービット用テープ巻取り具を何本か用意しておけば、より効率的な作業が可能となる。
【図面の簡単な説明】
【０００９】
【図１】テープの巻きが太く、狭間隔部でテープの巻付け作業が不可能な状態に遭遇している状況
【図２】図１の状況の側面図
【図３】電動ドライバーに装着されたドライバービットに本考案のドライバービット用テープ巻取り具を外嵌した状態
【図４】作業員が自身の手を利用しドライバービット用テープ巻取り具にテープを巻取っている状況
【図５】テープをドライバービット用テープ巻取り具に必要長巻取り、狭間隔部でのテープの巻付け作業を可能としている状況
【図６】図５の状況の側面図
【図７】本考案の実施例１のドライバービット用テープ巻取り具
【図８】  ドライバービット用テープ巻取り具を、ドライバービットに外嵌する部分と、テープを巻取る部分を別形成した例
【考案を実施するための形態】
【００１０】実施形態を図面により説明すると、図１は付設配管のテープ巻付け作業の際、狭間隔部に遭遇して通常のテープの巻きの太さのままでは、作業不能な状態を示している。図２はその状況の側面図である。巻付け途中のテープを一旦切断し、図３の様に電動ドライバー６に装着されたドライバービット７に本考案のドライバービット用テープ巻取り具８を外嵌し、テープの先端を開口部９に挿入するか、あるいは両面粘着テープ１１で接着し、図４の様に電動ドライバーの回転を利用し、テープを必要な長さだけ巻取った後切断する。図５に示す様にドライバービット用テープ巻取り具に巻取り、テープの巻が細くなった事により作業を続行することができる。
【実施例１】
【００１１】図７は耐久性のあるプラスチックス等適宜素材を使用して一体成型された、ドライバービット用テープ巻取り具８である。ドライバービットの形状に合わせ、ビットに嵌脱可能に外嵌し且つビットと共に回転する様形成され、テープの先端を挿入できる開口部９を設けテープ先端を仮着できる両面粘着テープ１１を貼る面を備えた構造である。
【実施例２】
【００１２】図８は、ドライバービット用テープ巻取り具８にドライバービット外嵌部を別形成したドライバービット用テープ巻取り具１３である。
【符号の説明】
【００１０】１  付設配管
２  非粘着テープ
３  テープの芯
４  狭間隔部
５  周辺物
６  電動ドライバー
７  ドライバービット
８  ドライバービット用テープ巻取り具
９  テープを挿入できる開口部
１０  作業員の手
１１  両面粘着テープ
１２  ドライバービット外嵌部
１３  ドライバービット外嵌部を別形成したドライバービット用テープ巻取り具
【図１】
0003231122.tif 000003
【図２】
0003231122.tif 000004
【図３】
0003231122.tif 000005
【図４】
0003231122.tif 000006
【図５】
0003231122.tif 000007
【図６】
0003231122.tif 000008
【図７】
0003231122.tif 000009
【図８】
0003231122.tif 000010
【手続補正書】
【提出日】令和2年8月17日(2020.8.17)
【手続補正１】
【補正対象書類名】実用新案登録請求の範囲
【補正対象項目名】請求項１
【補正方法】変更
【補正の内容】
【請求項１】
電動ドライバー等に装着されるドライバービットに嵌脱可能に外嵌する軸筒で、図３及び図７等に示す様に軸筒・中空部を、ドライバービットとの間に９の開口部から非粘着テープの先端を挿入できる程度に暖嵌する６角柱形状とした、非粘着テープ及び剥離紙付き粘着テープのドライバービット用テープ巻取り具。
【手続補正書】
【提出日】令和2年12月10日(2020.12.10)
【手続補正１】
【補正対象書類名】実用新案登録請求の範囲
【補正対象項目名】請求項１
【補正方法】変更
【補正の内容】
【請求項１】
●電動ドライバー等に装着される６角軸状のドライバービットに、嵌脱可能に外嵌する軸筒で、当該軸筒中空部を、外嵌するドライバービットの６角軸部外周壁と当該軸筒内周壁との間隙を当該軸筒がドライバービットと共に回転する程度の遊嵌状態とした６角柱状とし、当該軸筒外周部から当該軸筒内部に非粘着テープあるいは剥離紙付き粘着テープを挿入する開口部を設けた、非粘着テープ及び剥離紙付き粘着テープのドライバービット用テープ巻取り具。